(57)【要約】  ＣＭＳＰによって１つまたは複数の対象モバイルデバイスに配信される商用モバイル警報メッセージ（例えば、限定はしないが、ＷＲＩＴＥ−ＲＥＰＬＡＣＥメッセージ）が、対象モバイルデバイスによるＣＭＡＭの複数回の再掲表示を呼び出すように構成される１つまたは複数の再掲表示パラメータを指定する。再掲表示パラメータは、例えば、強制または任意選択勧告と、表示回数条件と、連続表示間時間間隔条件と、順守時間間隔条件とを含むことができる。
2015523027.tif 000002
【特許請求の範囲】
【請求項１】
ＣＭＳＰゲートウェイノードを規定する、商用モバイルサービスプロバイダ（ＣＭＳＰ）によって制御されるゲートウェイノードを含む商用モバイル警報システムにおいて、ＣＭＳＰゲートウェイノードは商用モバイル警報システム内に配信するための商用モバイル警報メッセージ（ＣＭＡＭ）を発行する警報機関に論理的に接続され、ＣＭＳＰゲートウェイノードが、
警報機関からＣＭＡＭを受信することと、
対象モバイルデバイスによるＣＭＡＭの複数回の再掲表示を呼び出すように構成された１つまたは複数の再掲表示パラメータを選択することと、
選択された再掲表示パラメータの標識によってＣＭＡＭを拡張することであって、拡張ＣＭＡＭを生成する、拡張することと、
拡張ＣＭＡＭを対象のモバイルデバイスに配信することとを含む、方法。
【請求項２】
ＣＭＡＭを拡張するステップが、ＣＭＡＭを、選択された再掲表示パラメータの標識を含むように修正することを含む、請求項１に記載の方法。
【請求項３】
ＣＭＡＭを拡張するステップが、ＣＭＡＭに、選択された再掲表示パラメータの標識を付加することを含む、請求項１に記載の方法。
【請求項４】
ＣＭＡＭを拡張するステップが、選択された再掲表示パラメータの標識を含む同等のメッセージを形成することを含み、拡張ＣＭＡＭを配信するステップが、ＣＭＡＭおよび同等のメッセージを対象モバイルデバイスに配信することを含む、請求項１に記載の方法。
【請求項５】
再掲表示パラメータが、
強制または任意選択勧告と、
表示回数条件と、
連続表示間時間間隔条件と、
順守時間間隔条件とからなるグループから選択される、請求項１に記載の方法。
【請求項６】
ＣＭＳＰゲートウェイノードに論理的に接続された警報機関を含む商用モバイル警報システムによる、商用モバイルサービスプロバイダ（ＣＭＳＰ）ゲートウェイノードであって、警報機関は、商用モバイル警報システム内で配信するために商用モバイル警報メッセージ（ＣＭＡＭ）を発行するように構成され、ＣＭＳＰゲートウェイノードは、
入力インターフェースと、
出力インターフェースと、
メモリと、
入力インターフェース、出力インターフェースおよびメモリに動作可能に接続され、
（ａ）警報機関からＣＭＡＭを受信し、
（ｂ）対象モバイルデバイスによるＣＭＡＭの複数回の再掲表示を呼び出すように構成された１つまたは複数の再掲表示パラメータを選択し、
（ｃ）再掲表示パラメータの標識を用いてＣＭＡＭを拡張し、拡張ＣＭＡＭを生成し、
（ｄ）拡張ＣＭＡＭを対象モバイルデバイスに配信するように構成された少なくとも１つのプロセッサとを備える、
商用モバイルサービスプロバイダ（ＣＭＳＰ）ゲートウェイノード。
【請求項７】
部分（ｂ）におけるプロセッサが、
強制または任意選択勧告と、
表示回数条件と、
連続表示間時間間隔条件と、
順守時間間隔条件とからなるグループから選択された再掲表示パラメータを指定するように構成される、請求項６に記載のＣＭＳＰゲートウェイノード。
【請求項８】
部分（ｃ）におけるプロセッサが、ＣＭＡＭを、選択された再掲表示パラメータの標識を含むように修正するように構成される、請求項６に記載のＣＭＳＰゲートウェイノード。
【請求項９】
部分（ｃ）におけるプロセッサが、ＣＭＡＭに、選択された再掲表示パラメータの標識を付加するように構成される、請求項６に記載のＣＭＳＰゲートウェイノード。
【請求項１０】
部分（ｃ）におけるプロセッサが、選択された再掲表示パラメータの標識を含む同等のメッセージを形成するように構成され、
部分（ｄ）におけるプロセッサが、ＣＭＡＭおよび同等のメッセージを対象モバイルデバイスに配信するように構成される、請求項６に記載のＣＭＳＰゲートウェイノード。
【発明の詳細な説明】
【技術分野】
【０００１】
本発明は包括的にはワイヤレス電気通信システムに関し、より詳細には、指示された警報エリア内のモバイルユニットに公衆安全警報および他の警報通知を与えることに関する。
【背景技術】
【０００２】
気象警報、ならびに警察からの警報、火災警報および緊急警報のような他の警報を公衆に与えるために、種々の警報通知システムが知られている。通常、警報通知は公共機関（例えば、地域社会、州、国家機関）から生成され、指示された地理的エリア内に位置する公衆に向けられる。歴史的には、警報通知は、無線チャネルおよびテレビチャネルによる警告サイレンおよび警告音放送のような形式によって送達されてきた。近年になって、指示された地理的エリア内に存在するワイヤレス加入者によって運用されるモバイルユニットに公衆安全警報通知および他の警報通知を送達するために、警報通知システムをワイヤレス電気通信システムに拡張する必要性が認識されてきた。
【０００３】
モバイル警報メッセージのための現在の実施態様および標準規格が以下の文書に記載されており、それぞれ引用により本明細書に完全に組み込まれている：
２００７年１０月１２日付「Ｃｏｍｍｅｒｃｉａｌ  Ｍｏｂｉｌｅ  Ａｌｅｒｔ  Ｓｅｒｖｉｃｅ  Ａｒｃｈｉｔｅｃｔｕｒｅ  ａｎｄ  Ｒｅｑｕｉｒｅｍｅｎｔｓ」Ｖｅｒｓｉｏｎ  １．０（合衆国商用モバイル警報サービスの一般的要件を記述する）、
２０１１年１２月付けＴｈｉｒｄ  Ｇｅｎｅｒａｔｉｏｎ  Ｐａｒｔｎｅｒｓｈｉｐ  Ｐｒｏｊｅｃｔ（３ＧＰＰ）  ｔｅｃｈｎｉｃａｌ  ｓｐｅｃｉｆｉｃａｔｉｏｎ  ＴＳ２２．２６８  ｖｅｒｓｉｏｎ１１．３．０（３ＧＰＰ通信ネットワーク内の公衆警告システム（ＰＷＳ）のための一般的要件を記述する）、
２０１１年９月付け３ＧＰＰ  ＴＳ  ２５．４１９（３ＧＰＰ通信ネットワーク内のサービスエリアブロードキャストプロトコル（ＳＡＢＰ）のパラメータを記述する）、
２０１２年３月付け３ＧＰＰ  ＴＳ  ４８．０４９（３ＧＰＰ通信ネットワーク内のセルブロードキャストサービスプロトコル（ＣＢＳＰ）のパラメータを記述する）、
２０１２年１月付けＥＴＳＩ  ＴＳ  １０２  ９００、ｖｅｒｓｉｏｎ１．２．１（欧州公衆警告サービスの一般的要件を記述する）。
【０００４】
一般的に、上記の文書によれば、商用モバイルサービスプロバイダ（ＣＭＳＰ）が警報エンティティ（例えば、警報開始機構、ゲートウェイまたは収集機構）から警報メッセージを受信する。ＣＭＳＰは、適切な配信プロトコル（例えば、ＳＡＢＰ、ＣＢＳＰ）と一致するように警報をフォーマットし、１つまたは複数のセルサイト／ページング送受信機（例えば、配信プロトコルに応じて、無線ネットワークコントローラ（ＲＮＣ）または基地局コントローラ（ＢＳＣ））を介して、その警報を、対象モバイルデバイスに配信する。その警報は、ＣＭＳＰのカバレッジエリアの全てもしくは一部に、および／またはサービスプロバイダによってサポートされるモバイルデバイスの全てもしくは一部に配信することができる。
【０００５】
現在の実施態様および標準規格によれば、モバイルユーザが警報を受信し、表示する可能性を高めるために、影響を及ぼされるモバイルデバイスにサービスを提供するＲＮＣ／ＢＳＣによってモバイル警報を繰り返し再ブロードキャストできるようにする。詳細には、現在の実施態様および標準規格によれば、ＣＭＳＰによって１つまたは複数のＲＮＣ／ＢＮＣに配信されるブロードキャスト商用モバイル警報メッセージ（例えば、ＳＡＢＰ／ＣＢＳＰプロトコルにおけるＷＲＩＴＥ−ＲＥＰＬＡＣＥメッセージ）は、メッセージを再ブロードキャストする回数および頻度に関してＲＮＣ／ＢＮＣに指令するために、「要求されるブロードキャスト回数」および「繰り返し周期」パラメータを含む。しかしながら、モバイル警報の繰り返し再ブロードキャストの現在の実施態様は、ネットワーク輻輳を引き起こす可能性があり、ＣＭＳＰネットワークリソースの性能に悪影響を及ぼす恐れがある。したがって、ＲＮＣ／ＢＮＣからの繰り返し再ブロードキャストを少なくするか、またはなくすように、モバイルユニットにおいて再掲モバイル警報を提供することが望ましい。
【先行技術文献】
【非特許文献】
【０００６】
【非特許文献１】「Ｃｏｍｍｅｒｃｉａｌ  Ｍｏｂｉｌｅ  Ａｌｅｒｔ  Ｓｅｒｖｉｃｅ  Ａｒｃｈｉｔｅｃｔｕｒｅ  ａｎｄ  Ｒｅｑｕｉｒｅｍｅｎｔｓ」Ｖｅｒｓｉｏｎ  １．０
【非特許文献２】Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）  ｔｅｃｈｎｉｃａｌ  ｓｐｅｃｉｆｉｃａｔｉｏｎ  ＴＳ２２．２６８  ｖｅｒｓｉｏｎ１１．３．０
【非特許文献３】３ＧＰＰ  ＴＳ  ２５．４１９
【非特許文献４】３ＧＰＰ  ＴＳ  ４８．０４９
【非特許文献５】ＥＴＳＩ  ＴＳ  １０２  ９００、ｖｅｒｓｉｏｎ１．２．１
【発明の概要】
【課題を解決するための手段】
【０００７】
ＲＮＣ／ＢＮＣからの繰り返し再ブロードキャストに頼ることなく、ＣＭＳＰによって１つまたは複数のＲＮＣ／ＢＮＣに配信され、対象モバイルデバイスに送られる商用モバイル警報メッセージ（例えば、限定はしないが、ＷＲＩＴＥ−ＲＥＰＬＡＣＥメッセージ）内の新たなパラメータを用いて、モバイルデバイスに再掲モバイル警報を表示させるようにする機構によって、これらの問題が対処され、当該技術分野において技術進歩が達成される。
【０００８】
一実施形態では、ＣＭＳＰゲートウェイノードが警報機関からＣＭＡＭ（商用モバイル警報メッセージ）を受信し、対象モバイルデバイスによってＣＭＡＭの複数回の再掲表示を呼び出すように構成された１つまたは複数の再掲表示パラメータを選択し、ＣＭＡＭを選択された再掲表示パラメータの標識を用いてＣＭＡＭを拡張し、拡張ＣＭＡＭを対象モバイルデバイスに配信する。オプションで、拡張ＣＭＡＭは、修正または付加ＷＲＩＴＥ−ＲＥＰＬＡＣＥメッセージを含むことができるか、または選択された再掲表示パラメータの標識を含む同等のメッセージを含むことができる。
【０００９】
別の実施形態では、モバイルデバイスが再掲表示パラメータの標識を伴うＣＭＡＭ（例えば、ＣＭＳＰゲートウェイノードから拡張ＣＭＡＭ）を受信し、再掲表示パラメータに準拠してＣＭＡＭを表示する。再掲表示パラメータは、例えば、強制勧告または任意選択勧告と、表示回数条件と、連続表示間時間間隔条件と、順守時間間隔条件とを含むことができる。
【００１０】
本発明の上記の利点および他の利点は、以下の詳細な説明を読むと、かつ図面を参照すると明らかになるであろう。
【図面の簡単な説明】
【００１１】
【図１】本発明の実施形態が実施される場合がある商用モバイル警報サービスの機能参照モデルを示す図である。
【図２】現在の実施態様および標準規格による、テキストに基づく商用モバイル警報メッセージ（ＣＭＡＭ）のための名目的なメッセージシーケンスを示す図である。
【図３】本発明の実施形態による、対象モバイルデバイスのためのＣＭＡＭ再掲表示パラメータを指定するためにＣＭＳＰゲートウェイによって実行されるステップを示す流れ図である。
【図４】本発明の実施形態による、指定されたＣＭＡＭ再掲表示パラメータを実行するためにモバイルデバイスによって実行されるステップを示す流れ図である。
【発明を実施するための形態】
【００１２】
参照しやすくするために、詳細な説明は以下のように分けられる。セクションＩは商用モバイル警報サービスの概説を提供する。セクションＩＩは、ＲＮＣ／ＢＮＣからの繰り返し再ブロードキャストに頼ることなく、対象モバイルデバイスにおいて再掲モバイル警報を達成するための解決策を記述する。
【００１３】
Ｉ．商用モバイル警報サービス（ＣＭＡＳ）の概説
図１は、先に参照された「Ｃｏｍｍｅｒｃｉａｌ  Ｍｏｂｉｌｅ  Ａｌｅｒｔ  Ｓｅｒｖｉｃｅ  Ａｒｃｈｉｔｅｃｔｕｒｅ  ａｎｄ  Ｒｅｑｕｉｒｅｍｅｎｔｓ」文書において記載されるような、商用モバイルサービスプロバイダ（ＣＭＳＰ）のカバレッジエリア内で動作しているモバイルユニットにモバイル警報を配信するためのＣＭＡＳシステム１００の機能参照モデルである。
【００１４】
この例示的なモデル下で、連邦政府エンティティ、政府警報ネットワーク１０２が、「警報収集機構」１０４および「警報ゲートウェイ」１０６を含む。警報収集機構１０４は、１つまたは複数の警報開始機構（図示されるように、連邦政府関係機関、地方および州緊急対応センター（ＥＯＣ））によって開始され、基準点「Ａ」を越えて送信される警報を受信し、収集し、認証する。その警報は、例えば、大統領レベル、生命および財産への差し迫った脅威、および児童誘拐緊急事態または「ＡＭＢＥＲ」警報を含む、例えば、新たな、または更新された、または取り消された商用モバイル警報（ＣＭＡ）を含むことができる。警報収集機構１０４は、基準点「Ｂ」を越えて、警報を警報ゲートウェイ１０６に転送する。警報ゲートウェイ１０６は、必要に応じて（例えば、サポートされる技術、サービスプロファイルなどに準拠するために）、警報を再フォーマットすることができ、基準点「Ｃ」を越えて、警報を商用モバイルサービスプロバイダ（ＣＭＳＰ）ネットワーク１０８に配信する。
【００１５】
ＣＭＳＰネットワーク１０８はＣＭＳＰゲートウェイ１１０と、１つまたは複数のセルサイト／ページング送受信機１１２（例えば、配信プロトコルに応じて、無線ネットワークコントローラ（ＲＮＣ）または基地局コントローラ（ＢＳＣ））とを含む。警報を受信すると、ＣＭＳＰゲートウェイ１１０は、適切な配信プロトコル（例えば、ＳＡＢＰ、ＣＢＳＰ）と一致するように警報をフォーマットし、基準点「Ｄ」を越えて、警報をセルサイト／ページング送受信機１１２のうちの１つまたは複数に送信する。その後、ＲＮＣ／ＢＳＣは、基準点「Ｅ」を越えて、警報を対象モバイルデバイス１１４にブロードキャストする。最終的に、その警報は、ＣＭＳＰのカバレッジエリアの全てもしくは一部、および／またはサービスプロバイダによってサポートされるモバイルデバイスの全てもしくは一部を含む、対象モバイルデバイスに「全体的にまたは部分的に」配信される。
【００１６】
図２は、現在の実施態様および標準規格による、上記のＣＭＡＳシステム１００を介して配信されるテキストに基づく商用モバイル警報メッセージ（ＣＭＡＭ）のための名目的なメッセージシーケンスを示す。詳細には、図２は、政府警報ネットワーク１０２と、ＣＭＳＰネットワーク１０８と、モバイルデバイス１１４と、エンドユーザ（図１には示されない）との間のメッセージシーケンスを示す。図２は包括的には、先に参照された「Ｃｏｍｍｅｒｃｉａｌ  Ｍｏｂｉｌｅ  Ａｌｅｒｔ  Ｓｅｒｖｉｃｅ  Ａｒｃｈｉｔｅｃｔｕｒｅ  ａｎｄ  Ｒｅｑｕｉｒｅｍｅｎｔｓ」文書の図４−１に対応する。
【００１７】
図２のメッセージシーケンスは以下のステップを含む。
【００１８】
ステップ２０１において、警報が生成され、基準点「Ａ」を越えて政府警報ネットワーク１０２に送信される。
【００１９】
ステップ２０２において、政府警報ネットワーク１０２は、受信された警報要求の妥当性を検証し、認証する。
【００２０】
ステップ２０３において、政府警報ネットワーク１０２は、受信された警報メッセージを、ＣＭＳＰによってサポートされる、テキストプロファイルに基づくＣＭＡＳフォーマットに変換する。
【００２１】
ステップ２０４において、政府警報ネットワーク１０２は、テキストプロファイルに基づくＣＭＡＭを、基準点「Ｃ」を越えてＣＭＳＰに送信する。
【００２２】
ステップ２０５において、ＣＭＳＰは、受信されたＣＭＡＭの妥当性を検証する。
【００２３】
ステップ２０６において、ＣＭＳＰは、政府警報ネットワーク１０２に、有効なＣＭＡＭが受信されたという確認応答を送信する。
【００２４】
ステップ２０７において、ＣＭＳＰは、ジオターゲティングを実行して、指示された警報エリアを、ＣＭＡをブロードキャストするための関連するセルサイト／ページング送受信機の組に直す。
【００２５】
ステップ２０８において、ＣＭＳＰは、ＣＭＡＭを、ステップ２０７のジオターゲティングプロセスによって識別されたセルサイト／ページング送受信機の組にブロードキャストする。ＣＭＡＭは、セルサイト／ページング送受信機から、ＣＭＳＰによって選択された技術によって、対象モバイルデバイスにブロードキャストされる。
【００２６】
ステップ２０９において、モバイルデバイス１１４は、ＣＭＳＰによって選択された技術によって、ＣＭＡＭのブロードキャストを監視する。
【００２７】
ステップ２１０において、ＣＭＡＭはモバイルデバイス１１４の能力に応じて受信され、エンドユーザ１１６に提示される。１つのシナリオでは、ＣＭＡＭは、ＣＭＡＳ可聴周波数注意信号および／または特殊緊急警報振動リズム（モバイルデバイスが振動能力を有する場合）を用いて提示され、ＣＭＡＭメッセージテキストが、モバイルデバイスの視覚ディスプレイ上に表示される。
【００２８】
ＩＩ．問題の提示および解決策
言及されたように、現在の実施態様および標準規格によれば、モバイルユーザが警報を受信し、表示する可能性を高めるために、対象モバイルデバイスにサービスを提供するＲＮＣ／ＢＳＣによってモバイル警報を繰り返し再ブロードキャストできるようにする。したがって、ステップ２０８において、ＣＭＳＰによって１つまたは複数のＲＮＣ／ＢＮＣに配信されるブロードキャスト商用モバイル警報メッセージ（例えば、ＳＡＢＰ／ＣＢＳＰプロトコルにおけるＷＲＩＴＥ−ＲＥＰＬＡＣＥメッセージ）は、メッセージを再ブロードキャストする回数および頻度に関してＲＮＣ／ＢＮＣに指令するために、「要求されるブロードキャスト回数」および「繰り返し周期」パラメータを含む。しかしながら、モバイル警報の繰り返し再ブロードキャストの現在の実施態様は、ネットワーク輻輳を引き起こす可能性があり、ＣＭＳＰネットワークリソースの性能に悪影響を及ぼす恐れがある。
【００２９】
この問題に対処するために、本発明の実施形態は、ＲＮＣ／ＢＮＣからの繰り返し再ブロードキャストに頼ることなく、対象のモバイルデバイスに再掲モバイル警報を表示させることに向けられる。一実施形態では、これは、ＣＭＳＰによって１つまたは複数のＲＮＣ／ＢＮＣに配信され、対象モバイルデバイスに送られる商用モバイル警報メッセージ（例えば、限定はしないが、ＷＲＩＴＥ−ＲＥＰＬＡＣＥメッセージ）内の新たなパラメータによって成し遂げられる。一実施形態では、その新たなパラメータによって、政府機関（または商用モバイル警報メッセージを開始する任意の有効な機関）が、公衆安全警報または他の緊急警報の再掲を強制し、モバイルデバイスによって表示されることになる再掲回数および再掲周期を指定できるようになる。
【００３０】
ここで図３を参照すると、本発明の実施形態による、対象モバイルデバイスのためのＣＭＡＭ再掲表示パラメータを指定するためにＣＭＳＰゲートウェイ１１０によって実行されるステップの流れ図である。
【００３１】
ＣＭＳＰゲートウェイ１１０は一般的に、政府警報ネットワーク１０２に論理的に接続され、名目的にはＣＭＳＰによって運用され、図２に関連して示されるような現在の実施態様および標準規格に従って警報を受信し、フォーマットし、対象のモバイルデバイス１１４にブロードキャストするように動作し、さらに、本発明の実施形態に従って、対象モバイルデバイスへの再掲表示パラメータを指定するように動作する、任意のハードウェアデバイス、サーバ、プラットフォーム、システム、アプリケーションまたは機能と定義される。
【００３２】
ＣＭＳＰゲートウェイ１１０の論理ハードウェア構成（図示せず）は、プロセッサおよびメモリと、入力インターフェース（基準点「Ｃ」に論理的に接続される）と、出力インターフェース（基準点「Ｄ」に論理的に接続される）とを含む。図３のステップは、例えば、限定はしないが、メモリ内に記憶されるプログラムコード（例えば、限定はしないが、オペレーティングシステムファームウェア／ソフトウェアおよびアプリケーションソフトウェアを含む）を実行するプロセッサによって実行することができる。
【００３３】
ステップ３０２において、ＣＭＳＰゲートウェイ１１０は、入力インターフェースを介して、警報機関（例えば、政府機関または他の有効な機関）からＣＭＡＭを受信する。ＣＭＡＭを受信するのと同時に、ＣＭＳＰは、現在の実施態様および標準規格に従ってＣＭＡＭの妥当性検証および確認応答と、ＣＭＡをブロードキャストするための対象とされるセルサイト／ページング送受信機の組を識別するジオターゲティングとを実行することができる。便宜上、妥当性検証、確認応答およびジオターゲティングのステップは図３から省略される。
【００３４】
ステップ３０４において、ＣＭＳＰゲートウェイは、受信されたＣＭＡＭに関連付けられる任意の再掲表示パラメータを指定するか否かを判断する。例えば、ＣＭＳＰが、警報機関から受信された全てのＣＭＡＭではなく、幾つかのＣＭＡＭに対して再掲パラメータを指定する場合があると考えられる。特定のＣＭＡＭに対して再掲表示パラメータが指定されない場合には、ステップ３１０において、ＣＭＳＰゲートウェイは、現在の実施態様および標準規格に従って、すなわち、再掲表示パラメータを用いることなく、対象モバイルデバイスにＣＭＡＭをブロードキャストする。
【００３５】
特定のＣＭＡＭに対して再掲表示パラメータが指定されることになる場合には、ＣＭＳＰゲートウェイは、ステップ３０６において、ＣＭＡＭに関連付けられる再掲表示パラメータを選択する。一実施形態では、ＣＭＳＰゲートウェイ１１０は、ステップ３０６において、以下の再掲表示パラメータのうちの１つまたは複数を選択する。
【００３６】
再掲：強制または任意選択。強制再掲は、対象モバイルデバイスが、指定された警報メッセージを何度も表示しなければならないことを指示する。任意選択再掲は、再掲パラメータが対象モバイルデバイスによって抑制されてもよいことを指示する。
【００３７】
回数：警報メッセージが対象モバイルデバイスにおいて表示されるべきである最小回数。例えば、限定はしないが、政府機関が、対象モバイルデバイスに、ハリケーン警報メッセージを３回以上表示するように要求する場合がある。
【００３８】
表示間隔：再掲メッセージの連続表示間の最大時間間隔（例えば、秒単位）。例えば、限定はしないが、政府機関が、対象モバイルデバイスに、６０秒以下の連続表示間時間間隔で、何度もテロリスト警報メッセージを表示するように要求する場合がある。
【００３９】
順守間隔：再掲メッセージ表示が対象モバイルデバイスよって実行されるべきである最短全体期間（例えば、時間単位）。例えば、限定はしないが、政府機関が、対象モバイルデバイスに、少なくとも８時間にわたって再掲地震警報メッセージを表示するように要求する場合がある。
【００４０】
ステップ３０８において、受信されたＣＭＡＭに関連付けられる１つまたは複数の再掲表示パラメータを選択すると、ＣＭＳＰゲートウェイは、選択された再掲表示パラメータの標識を用いて、受信されたＣＭＡＭメッセージを拡張し、拡張ＣＭＡＭを生成する。例えば、限定はしないが、拡張ＣＭＡＭは、元のＣＭＡＭのメッセージ内容を含むが、当初に受信されたＣＭＡＭ内に存在しない再掲表示パラメータの標識を更に含む、修正、付加またはプロキシＣＭＡＭを含むことができる。その代わりに、またはそれに加えて、ステップ３０８におけるＣＭＡＭを拡張するステップは、再掲表示パラメータの標識を含む、ＣＭＡＭに関連付けられる同等のメッセージを構成することを含む場合がある。
【００４１】
最後に、ステップ３１０において、ＣＭＳＰゲートウェイは、本発明の実施形態に従って、すなわち、指定された再掲表示パラメータに準拠して表示するために、拡張ＣＭＡＭを対象モバイルデバイスにブロードキャストする。
【００４２】
ここで図４を参照すると、本発明の実施形態による、受信されたＣＭＡＭを処理するためにモバイルデバイス１１４によって実行されるステップの流れ図である。モバイルデバイス１１４は、例えば、限定はしないが、数ある内容の中でも、ＣＭＳＰゲートウェイ１１０において生成されるか、またはＣＭＳＰゲートウェイ１１０から転送されるＣＭＡＭを受信し、表示することを対象とする携帯電話、携帯情報端末（ＰＤＡ）または任意のモバイルコンピューティングデバイスを含むことができる。
【００４３】
モバイルデバイス１１４は、例えば、セルサイト／ページング送受信機１１２（例えば、配信プロトコルに応じて、無線ネットワークコントローラ（ＲＮＣ）または基地局コントローラ（ＢＳＣ））を含むワイヤレスリソースによって、ＣＭＳＰゲートウェイに論理的に接続される。ワイヤレスリソースは、限定はしないが、ＣＤＭＡ、ＴＤＭＡ、ＧＳＭ（登録商標）、ＵＭＴＳまたはＩＥＥＥ８０２．１１を含む、エアーインターフェース技術を実施することができる。
【００４４】
モバイルデバイス１１４の論理ハードウェア構成（図示せず）は、プロセッサおよびメモリと、ネットワークインターフェース（基準点「Ｅ」に論理的に接続される）と、ユーザインターフェースとを含む。ユーザインターフェースは、例えば、限定はしないが、テキストディスプレイ、ビデオディスプレイおよび／またはオーディオスピーカを含む場合がある。図４のステップは、メモリ内に記憶されるプログラムコード（例えば、限定はしないが、オペレーティングシステムファームウェア／ソフトウェアおよびアプリケーションソフトウェアを含む）を実行する、例えば、限定はしないが、プロセッサによって実行することができる。
【００４５】
ステップ４０２において、モバイルデバイスは、ネットワークインターフェースを介してＣＭＳＰゲートウェイ１１０から転送されたＣＭＡＭ（例えば、（再掲表示パラメータを伴う）拡張ＣＭＡＭまたは「標準的な」ＣＭＡＭ（再掲表示パラメータを伴わない））を受信する。
【００４６】
ステップ４０４において、モバイルデバイスは、ＣＭＡＭに再掲表示パラメータが存在するか否かを処理する、または調べる。ＣＭＡＭがいかなる再掲表示パラメータも指定しない場合には、ステップ４０６において、モバイルデバイスは、現在の実施態様および標準規格に従って、すなわち、再掲表示を用いることなく、ＣＭＡＭを表示する。
【００４７】
ＣＭＡＭが任意選択の再掲表示パラメータを指定する場合には、ステップ４０８において、モバイルデバイスは、指定された再掲表示パラメータに準拠してＣＭＡＭを表示する。
【００４８】
限定はしないが、例えば：
【００４９】
―ＣＭＡＭが強制再掲表示を指定する場合には、モバイルデバイスは、受信されたＣＭＡＭにおいて指定されたような回数、表示間隔または指定された順守間隔においてＣＭＡＭを表示しなければならない。ＣＭＡＭが任意選択再掲表示を指定する場合には、そのモバイルデバイスは、ユーザが、（例えば、ユーザが、そのための肯定的措置を講じた後に）ＣＭＡＭ表示を抑制するのを許す場合がある。任意選択再掲表示が、指定された強制最小回数とともに部分的に実施される場合もあると考えられる。例えば、そのモバイルデバイスは、ＣＭＡＭを少なくとも２回表示した後に、ユーザがＣＭＡＭの更なる再掲表示を抑制するのを許す場合がある。
【００５０】
―ＣＭＡＭが、再掲表示の最小回数に関して、値Ｘを有するパラメータを指定する場合には、モバイルデバイスは、受信されたＣＭＡＭを少なくともＸ回表示すべきである。
【００５１】
―ＣＭＡＭが、再掲表示間の最大間隔に関して、値Ｙを有するパラメータを指定する場合には、モバイルデバイスは、連続表示間時間間隔がＹ（例えば、Ｙ秒）以下である、受信されたＣＭＡＭの表示をサポートすべきである。
【００５２】
―ＣＭＡＭが、再掲表示のための最短全体期間に関して、値Ｚを有するパラメータを指定する場合には、モバイルデバイスは、受信されたＣＭＡＭの再掲表示を少なくとも時間間隔Ｚ（例えば、Ｚ時間）にわたって実行すべきである。
【００５３】
―モバイルデバイスが、先行するＣＭＡＭの代わりとなるか、またはＣＭＡＭに関連付けられる再掲表示パラメータの代わりとなるコマンドを受信する場合には、モバイルデバイスは、先行するＣＭＡＭの表示を中断し、先行する全ての再掲表示パラメータを無視し（先行する再掲表示パラメータに関連付けられる全ての関連するタイマを中止することを含む）、１つまたは複数の新たなパラメータを実行し始める。
【００５４】
本発明は、その主旨および不可欠な特徴から逸脱することなく、他の特定の形態において具現することができる。説明された実施形態は、全ての点で、例示と見なされるべきであり、限定と見なされるべきではない。それゆえ、本発明の範囲は、これまでの説明によってではなく、添付の特許請求の範囲によって指示される。特許請求の範囲の均等論の意味および範囲内に入る全ての変更が、その範囲に含まれることになる。
【００５５】
例えば、本明細書において、政府警報機関によって発行される緊急および／または公衆安全警報を参照しながら実施形態が説明される。しかしながら、本発明の実施形態は、緊急および／または公衆安全警報メッセージに適用可能であるが、それには限定されないことは理解されたい。むしろ、本発明の実施形態は包括的には、任意のメッセージ生成機関から発行される任意のメッセージタイプおよびフォーマットの通信に適用可能である。例えば、限定はしないが、本発明の実施形態は、気象警報、ニュースもしくはスポーツメッセージ、または広告の配信に対して適用することができる。
【００５６】
それゆえ、本明細書において用いられるような「商用モバイル警報システム」という用語は包括的には、商用モバイルサービスプロバイダによって提供されるメッセージを対象モバイルデバイスに発行するために商用モバイルサービスプロバイダゲートウェイノードを利用する任意の通信トポロジに適用することができ、「商用モバイル警報メッセージ」またはＣＭＡＭという用語は包括的には、対象モバイルデバイスに配信するために、警報機関によってＣＭＳＰに配信される任意のメッセージに適用することができる。
【図１】
2015523027.tif 000003
【図２】
2015523027.tif 000004
【図３】
2015523027.tif 000005
【図４】
2015523027.tif 000006
【国際調査報告】
2015523027.tif 000007
2015523027.tif 000008
2015523027.tif 000009